(57)【特許請求の範囲】
【請求項１】
電気接続箱のケースに切欠部と該切欠部の周縁のガイド部とを設け、該ガイド部にワイヤハーネス挿通用の弾性のグロメットのフランジ部の両側部と下部を嵌合させ、該フランジ部の上部を覆うカバーを該ケースに被着させる電気接続箱の防水構造において、該フランジ部が二段に一体形成され、ケース外方向の第一のフランジ部分よりもケース内方向の第二のフランジ部分が幅方向及び高さ方向の全周に渡って大きく突出形成され、前記ガイド部として、該ケースに、該第一のフランジ部分を嵌合させる幅狭で低い第一のガイド壁と、該第二のフランジ部分を嵌合させる幅広で高い第二のガイド壁とが二段に一体形成され、該ガイド部よりも該第一及び第二のフランジ部分の各上部が高く突出され、前記カバーに、該第一のフランジ部分の上部を配置する第一の段部と、該第二のフランジ部分の上部を配置する第二の段部とが一体形成され、該各上部が該カバー側に密着することを特徴とする電気接続箱の防水構造。
【請求項２】
前記第一のフランジ部分の上部を前記カバーの内面に密着させ、前記第二のフランジ部分の上部を該カバー内のパッキンに密着させることを特徴とする請求項１記載の電気接続箱の防水構造。
【請求項３】
前記ケースの周壁を二重に形成し、内側の周壁を外側の周壁よりも高く形成し、前記第一のガイド壁を該外側の周壁と同じ高さにし、前記第二のガイド壁を該内側の周壁と同じ高さにしたことを特徴とする請求項１又は２記載の電気接続箱の防水構造。
【請求項４】
前記第一のガイド壁の底部に水抜き孔を設けたことを特徴とする請求項１〜３の何れか記載の電気接続箱の防水構造。
【請求項５】
前記第二のフランジ部分に隣接して前記グロメットに第三のフランジ部分を形成し、前記ケースに、該第三のフランジ部分に対する第三のガイド壁を設けたことを特徴とする請求項１〜４の何れか記載の電気接続箱の防水構造。
【請求項６】
前記第三のフランジ部分の上部を前記パッキンに密着させることを特徴とする請求項５記載の電気接続箱の防水構造。
【請求項７】
前記フランジ部内に補強部材を嵌着し、該補強部材を前記ケースに係止手段で係止させることを特徴とする請求項１〜６の何れか記載の電気接続箱の防水構造。
【発明の詳細な説明】
【０００１】
【発明の属する技術分野】
本発明は、電気接続箱からワイヤハーネスを導出させるために防水用のグロメットを装着して電気接続箱内への水の浸入を防止した電気接続箱の防水構造に関するものである。
【０００２】
【従来の技術】
図１１は、従来の電気接続箱の防水構造の基本的な形態を示すものである。
電気接続箱は合成樹脂製のケース７１とカバー７２と、ケース７１内に収容されるヒューズやリレー等を含む接続ユニット（図示せず）と、防水用の弾性のグロメット７３とを備えたものであり、ケース７１の一側壁にワイヤハーネス導出用の略Ｕ字状の切欠部７４と、切欠部７４の周縁から外側に突出したガイド部７５とを有し、ガイド部７５にグロメット７３をスライド式に嵌着し、接続ユニット（図示せず）に続くワイヤハーネス（複数本の電線）７６をグロメット７３内に挿通させて外部に導出させる。
【０００３】
グロメット７３は、蛇腹部７７と、蛇腹部７７の一方に続く小径な円筒部７８と、蛇腹部７７の他方に続くフランジ部７９と、フランジ部７９内に嵌着される合成樹脂製の補強部材（図示せず）とで構成され、フランジ部７９を前記ケース７１のガイド部７５にスライド嵌合させ、さらにケース７１の上部にカバー７２を被せて、フランジ部７９の上面をカバー７２の下面に密着させることで、フランジ部７９の外周からケース７１内への水の浸入が防止される。
【０００４】
また、カバー７２の内周縁には矩形環状のパッキン（図示せず）が設けられ、パッキンにケース７１の上端縁が密着することで、ケース７１とカバー７２の接合部からの水の浸入が防止される。グロメット７３の円筒部７８の先端は、ワイヤハーネス７６を挿通させた状態でビニルテープ（図示せず）で巻かれて止水される。
【０００５】
【発明が解決しようとする課題】
しかしながら、上記従来の電気接続箱の防水構造にあっては、例えばトラック用等のように電気接続箱を外部に露出して装着する場合等において、車両走行中に跳ね上がった雨水や洗車時や高圧洗浄時の高圧水等がグロメット７３のフランジ部７９を直撃する等した際に、高い水圧によってフランジ部７９とケース１及びカバー７２との間に水が浸入してしまうという問題を生じた。ケース７１内に水が入った場合には、ケース内部の接続ユニット等に悪影響を与えてしまうという心配があった。
【０００６】
一方、特開平８−２８８６６７号公報（図示せず）には、ケースを二重壁とし、その二重壁のそれぞれに防水グロメットのフランジ部を嵌合させた構造が記載されているが、この場合には防水構造が肥大化し、且つグロメットの構造が複雑化するという問題があった。
【０００７】
本発明は、上記した点に鑑み、雨水や洗車時や高圧洗浄時等にグロメットに強く水がかかった場合でもケース内に水が浸入することがなく、しかも構造を小型化・簡素化することのできる電気接続箱の防水構造を提供することを目的とする。
【０００８】
【課題を解決するための手段】
上記目的を達成するために、本発明の請求項１に係る電気接続箱の防水構造は、電気接続箱のケースに切欠部と該切欠部の周縁のガイド部とを設け、該ガイド部にワイヤハーネス挿通用の弾性のグロメットのフランジ部の両側部と下部を嵌合させ、該フランジ部の上部を覆うカバーを該ケースに被着させる電気接続箱の防水構造において、該フランジ部が二段に一体形成され、ケース外方向の第一のフランジ部分よりもケース内方向の第二のフランジ部分が幅方向及び高さ方向の全周に渡って大きく突出形成され、前記ガイド部として、該ケースに、該第一のフランジ部分を嵌合させる幅狭で低い第一のガイド壁と、該第二のフランジ部分を嵌合させる幅広で高い第二のガイド壁とが二段に一体形成され、該ガイド部よりも該第一及び第二のフランジ部分の各上部が高く突出され、前記カバーに、該第一のフランジ部分の上部を配置する第一の段部と、該第二のフランジ部分の上部を配置する第二の段部とが一体形成され、該各上部が該カバー側に密着することを特徴とする。
上記構成により、例えば車両走行中の跳ね上げ水や高圧洗車水がグロメットのフランジ部分に強くかかって、第一のフランジ部分の密着部を通過した場合でも、第一のフランジ部分によって水勢（水圧）が弱められ、第二のフランジ部分によって確実に防水シールされる。また、各フランジ部分が各ガイド壁によって支持されるから、水が強い勢いで第一のフランジ部分にかかって第一のフランジ部分が撓む等の変形を起こした場合でも、その影響を第二のフランジ部分が受けることがなく、第二のフランジ部分によって確実な防水シール性が発揮される。また、各フランジ部分の上部が弾性的にカバー側に押接し、各フランジ部分とカバーとの間の防水シール性が確実に保たれる。
【００１１】
本発明の請求項２に係る電気接続箱の防水構造は、請求項１に係る電気続箱の防水構造において、前記第一のフランジ部分の上部を前記カバーの内面に密着させ、前記第二のフランジ部分の上部を該カバー内のパッキンに密着させることを特徴とする。
上記構成により、第一のフランジ部はカバーの内面に直接密着して強い接触圧力で水勢に耐える。第二のフランジ部は水勢の弱まった水に対してパッキンとの接触で確実な防水性を発揮する。
【００１２】
本発明の請求項３に係る電気接続箱の防水構造は、請求項１又は２に係る電気接続箱の防水構造において、前記ケースの周壁を二重に形成し、内側の周壁を外側の周壁よりも高く形成し、前記第一のガイド壁を該外側の周壁と同じ高さにし、前記第二のガイド壁を該内側の周壁と同じ高さにしたことを特徴とする。
上記構成により、水が外側の周壁に当たって内側に浸入した場合でも、内側の高い周壁で阻止されて、内側の周壁内部への浸入が防止される。また、第一のガイド壁よりも内側に浸入した水は、高い第二のガイド壁に当たってそれ以上の浸入が阻止される。
【００１３】
本発明の請求項４に係る電気接続箱の防水構造は、請求項１〜３の何れかに係る電気接続箱の防水構造において、前記第一のガイド壁の底部に水抜き孔を設けたことを特徴とする。
上記構成により、第一のガイド壁の内側に浸入した水が底部の水抜き孔から外部に排出されて、第二のガイド壁内の第二のフランジ部分にかかる水圧が低減される。
【００１４】
本発明の請求項５に係る電気接続箱の防水構造は、請求項１〜４の何れかに係る電気接続箱の防水構造において、前記第二のフランジ部分に隣接して前記グロメットに第三のフランジ部分を形成し、前記ケースに、該第三のフランジ部分に対する第三のガイド壁を設けたことを特徴とする。
上記構成により、第三のフランジ部分が第三のガイド壁に密着するから、万一、水が第二のフランジ部分を通過した場合は、第三のフランジ部分で確実に止水される。また、第三のフランジ部分は第二のフランジ部分を補強して、第二のフランジ部分の防水シール性を高める。
【００１５】
本発明の請求項６に係る電気接続箱の防水構造は、請求項５に係る電気接続箱の防水構造において、前記第三のフランジ部分の上部を前記パッキンに密着させることを特徴とする。
上記構成により、第三のフランジ部分の上部が第二のフランジ部分の上部と共働して、第一のフランジ部分を越えた水の浸入を確実に防止する。
【００１６】
本発明の請求項７に係る電気接続箱の防水構造は、請求項１〜６の何れかに係る電気接続箱の防水構造において、前記フランジ部内に補強部材を嵌着し、該補強部材を前記ケースに係止手段で係止させることを特徴とする。
上記構成により、フランジ部がケースに固定され、フランジ部の抜け出しやガイド部内での移動が防止される。
【００１７】
【発明の実施の形態】
以下に本発明の実施の形態を図面を用いて詳細に説明する。
図１は、本発明に係る電気接続箱の防水構造の一実施形態を示すものである。
【００１８】
この電気接続箱１の防水構造は、弾性（合成ゴム製）のグロメット４の基部側のフランジ部５を少なくとも二段に形成し、合成樹脂製のケース２の切欠部９の周縁のグロメット係合用のガイド部１２と、合成樹脂製のカバー３のグロメット係合部分１３とをグロメット４のフランジ部５の形状に合わせて少なくとも二段に形成したことを特徴とするものである。
【００１９】
グロメット４のフランジ部５は、蛇腹部１４に続く部分すなわちケース２の外面側に露出する第一のフランジ部分６が小さく形成され、ケース２の内側に向く第二のフランジ部分７が大きく形成されている。このようにフランジ部５の外側部分が低く、内側部分が高くなることによって、たとえ水が第一のフランジ部分６の外周を通過しても第二のフランジ部分７で確実に止められて、ケース２内部への水の浸入が確実に防止される。
【００２０】
第一のフランジ部分６は第二のフランジ部分７の前壁面１５から突出形成されている。本明細書ではグロメット４の突出方向を「前」としているが、これは実使用時の方向とは何ら関係はない。各フランジ部分６，７は略Ｕ字状の外周部１６，１７と、この外周部１６，１７の上部を水平に連結する真直な外周部１８，１９とを有し、第一のフランジ部分６の各外周部１６，１８は第二のフランジ部分７の各外周部１７，１９よりも中心寄りに位置し、全周においてフランジ部５が少なくとも二段に形成されている。
【００２１】
各フランジ部分６，７の外周部の全周に複数条（本形態で二条）のリップ２０，２１が突出形成されている。第一のフランジ部分６の前壁面に蛇腹部１４が交差して続き、蛇腹部１４の前側に小径の円筒部２２が続き、円筒部２２の前側に図示しない大径の円筒部が続いている。大径の円筒部が内側のワイヤハーネス（図示せず）にビニルテープ巻きで固定される。
【００２２】
合成樹脂製のケース２はその周壁２３，２４が二重に形成され、内側の周壁２４が外側の周壁２３よりも高く形成されて、たとえ水が外側の周壁２３を越えて浸入しても、内側の周壁２４で止められるようになっている。この二重壁の構造は既存のものである。
【００２３】
ケース２の内側と外側の両周壁２３，２４が略Ｕ字状に切欠され、内側の切欠部１１から少し幅方向外側にずれた位置で、内側の周壁２４から直角に断面略Ｌ字状のガイド壁（第二のガイド壁）２６が突出形成され、このガイド壁２６によって内側と外側の両周壁２３，２４が連結され、ガイド壁２６の板厚方向内側に、グロメット４の第二のフランジ部分７に対する略Ｕ字状のガイド溝（第二のガイド溝）２９が形成されている。このガイド溝２９は内側の周壁２４と略Ｕ字状のガイド壁２６とで成る断面略コの字状の壁部の内側に形成されている。
【００２４】
ガイド壁２６の前側の鍔壁３１は外側の周壁２３から前方に若干膨出して一体化し、この鍔壁３１の内周縁に直交して、グロメット４の第一のフランジ部分６に対する断面略Ｌ字状の第一のガイド壁２５が設けられている。第一のガイド壁２５は、第二のガイド壁２６の鍔壁３１に直交する略Ｕ字状の周壁３２と、周壁３２に直交する鍔壁３３とで構成され、この二壁３２，３３で囲まれて第一のガイド溝２８が構成されている。第一のガイド壁２５の内幅は第二のガイド壁２６の内幅よりも狭く形成されている。第一のガイド壁２５の高さは第二のガイド壁２６よりも低く形成され、その高さは外側の周壁２３の高さに等しい。第二のガイド壁２６の高さは内側の周壁２４の高さに等しい。
【００２５】
外側の周壁２３には、第一のガイド壁２５の左右両側において、カバー３の回動式のロック部材（金具部分は図示せず）３４に対する係止爪３５が突出形成されている。ケース２の内側の周壁２４の切欠部１１のさらに内側に、グロメット４の後側の第三のフランジ部分８（図５）に対する断面略Ｌ字状の一対の第三のガイド壁２７（図６）が設けられている。また、ケース２の底壁３６には、グロメット４の補強部材９１（図５）に対する係止枠片（係止手段）３７が立設されている。これらの構成については後で詳細に説明する。
【００２６】
カバー３はケース２よりも扁平であり、天壁３８と周壁３９と、周壁３９に設けられた前記ロック部材（金具は図示せず）３４とで構成され、周壁３９の前側部分であるグロメット係合部１３の外観は略階段状に三段（天壁３８を含めると四段）に形成されている。最も下側の段部４０は外側に大きく突出し、内側にグロメット４の第一のフランジ部分６の上端部を収容可能である。下から二番目の段部４１と三段目の段部４２との内側にはパッキン４３（図１０）が嵌合され、二番目の段部４１にはグロメット４の第二のフランジ部分７の上端部が位置し、三番目の段部４２の下側には第三のフランジ部分８（図３）の上端部が位置して、それぞれパッキン４３に密着する。
【００２７】
また、カバー３の周壁３９の側方部分には、ケース２の外側の周壁２３の上端部に対する収容兼当接部分４４と、内側の周壁２４の上端部に対する収容部分４５とが階段状に形成されている。内側の周壁２４の上端は前記パッキン４３に密着する。ケース２とカバー３とで接続箱本体が構成される。
【００２８】
図２はケース２にグロメット４を嵌着した状態を示すものである。
グロメット４の第一のフランジ部分６はケース２の第一のガイド壁２５内に嵌合し、第二のフランジ部分７は第二のガイド壁２６内に嵌合する。各フランジ部分６，７の外周のリップ２０，２１は各ガイド壁２５，２６の内周面に密着し、各フランジ部分６，７の前側の壁面４６，４７は各ガイド壁２５，２６の内面に密着する。上記構成により、ケース２のハーネス導出用の切欠部９（図１）がグロメット４のフランジ部５で二重にシールされる。切欠部９は外側の切欠部１０と内側の切欠部１１とで構成される。
【００２９】
第一のフランジ部分６の上部は第一のガイド壁２５から上方に突出し、第二のフランジ部分７の上部は第二のガイド壁２６から上方に突出して位置する。第一のフランジ部分６の上端は第二のガイド壁２６の上端とほぼ同じ高さに位置し、第二のフランジ部分７の上端は第二のガイド壁２６の上端よりも上方に少し高く突出して位置する。
【００３０】
カバー３（図１）を閉止することで、第一のフランジ部分６の上端部と上側両側部と上側前面とがカバー３の一番下の段部４０の内面（図９の水平な一面４８と垂直な三面４９）にそれぞれ当接密着し、第二のフランジ部分７の上端のリップ２１が下から二番目の段部４１（図１）内のパッキン４３（図１０）の下面に押接密着し、第二のフランジ部分７の上側両側部が二番目の段部４１の内側の垂直な壁面５０（図９）に密着する。これにより、ケース２とカバー３との間がグロメット４のフランジ部５によって二重にシールされる。
【００３１】
図３はグロメット４の側面図、図４は同じく上面図、図５は同じく後方斜視図をそれぞれ示すものである。
蛇腹部１４に続く第一のフランジ部分６は裏側の第三のフランジ部分８よりもやや低く且つほぼ同じ大きさであり、厚さ方向中間の第二のフランジ部分７は他のフランジ部分６，８よりも上下左右（高さ方向と幅方向）に大きく突出している。
【００３２】
第一及び第二のフランジ部分６，７はその外周に各二条のリップ２０，２１を有し、上端のリップ２０，２１（図４）は左右両側の板厚方向の短いリップ５２，５３で連結され、前後左右のリップで囲まれた空間５４，５５を有している。連結リップ５２，５３で側方からの水の浸入が防止される。垂直方向の二条のリップ２０間，２１間に浸入した水はケース２のガイド壁２５の底部に落ち、底部の水抜き孔５６（図７）から外部に排出される。
【００３３】
また、第二のフランジ部分７にはリップ５７が外周寄りでＵ字状に突出形成され、このリップ５７が内側の周壁２４に密着することで、さらに確実な防水が行われる。
【００３４】
第三のフランジ部分８（図５）には上端前部のみに水平なリップ５８が形成され、このリップ５８は第二のフランジ部分７のリップ２１と同じ高さに位置して、第二のフランジ部分７のリップ２１と共にカバー３内のパッキン４３（図１０）に押接して、上部からの水の浸入防止作用を補強する。第三のフランジ部分８の左右両側寄りの後壁面５９（図５）はケース２の一対の第三のガイド壁２７（図６）の内面に密着し、これにより三段階で水の浸入が防止される。
【００３５】
第三のフランジ部分８の後部開口６０（図５）から第二のフランジ部分７の内側の溝（図示せず）内に剛性の補強部材９１のフランジ部（図示せず）が嵌合され、補強部材９１によってグロメット４の弾性のフランジ部５に張りが付与され、それによって接圧が高まり、シール性が向上する。剛性の補強部材を用いること自体は公知である。補強部材９１の下端には可撓性の係止爪（係止手段）６１が一体に垂下形成され、係止爪６１はケース２の係止枠片３７（図６）に係合し、それによってグロメット４のフランジ部５が上方に抜け出す（位置ずれする）ことなく強固に固定される。
【００３６】
図６はケース２のガイド部１２とその近傍を示す斜視図、図７は同じく上面図、図８は同じく正面図をそれぞれ示すものである。
ケース２の内側の周壁２４の切欠部１１に対して前側に第二のガイド壁２６と第一のガイド壁２５が順に位置し、後側に第三のガイド壁２７が位置している。第二のガイド壁２６に外側の周壁２３（図７）が交差している。両周壁２３，２４はリブ６２（図７）で連結補強されている。第一のガイド壁２５の底部に水抜き孔５６が設けられており、水抜き孔５６はグロメット挿入時のエア抜きとしても作用する。
【００３７】
第一のガイド壁２５が低く、第二のガイド壁２６が高く、第三のガイド壁２７はその中間の高さである。また、第一のガイド壁２５の左右方向の内幅が狭く、第二のガイド壁２６の内幅が広く、第三のガイド壁２７の内幅はその中間である。第一及び第二のガイド壁２５，２６は略Ｕ字状に湾曲し、第三のガイド壁２７はケース底壁３６から垂直方向に真直に延びている。
【００３８】
図９は、前記ガイド部１２に対応するカバー３の前側中央部分すなわちグロメット係合部分１３の平面図（下面図）、図１０は同じく断面図を示すものである。
【００３９】
グロメット４（図１）の第一のフランジ部分６に対応する第一の段部４０は前側に突出し、垂直な前壁及び両側壁４９と水平な上壁４８とを有している。上壁４８の水平な内側面に第一のフランジ部分６の上端が当接する。この水平な内側面（４８）とほぼ同じ高さで例えばウレタン製等の柔軟なパッキン４３の幅広な部分４３ａが第二，第三の段部４１，４２の内側の空間に嵌着されている。パッキン４３は矩形環状に形成され、前記幅広な部分４３ａは前方に突出している。
【００４０】
カバー３の前側中央部分以外の他の周壁部分６３（図９）は前記第一の段部４０よりもケース２（図１）に向けて下向きに長く延長され、この周壁部分６３の第一の段部４４の内側に周溝６４を介してリブ状の内周壁６５が位置し、周溝６４にケース２の外側の周壁２３の上端が係合当接し、内周壁６５は下から三番目の段部を成す垂直な壁部４５（図１）に続き、内周壁６５とその内側の内周壁６６との間にパッキン４３の幅狭な部分４３ｂが嵌合し、この幅狭な部分４３ｂにケース２の内側の周壁２４の上端が押接する。最も内側の内周壁６６は中間の内周壁６５よりも高さ方向に短く、前側中央部分の第一の段部４０（図１０）の内側の水平面（４８）と同程度の高さである。内周壁６６は天壁３８に直交している。
【００４１】
前記グロメット４の第二のフランジ部分７とケース２の内側の周壁２４とが一体的にパッキン４３に押圧密着する。第二のフランジ部分７は図２の如く内側の周壁２４よりも少し上方に突出している分だけ強くパッキン４３に密着し、グロメット部分の防水性が他のケース部分よりも一層向上する。
【００４２】
【発明の効果】
以上の如く、請求項１記載の発明によれば、例えば車両走行中の跳ね上げ水や洗車時や高圧洗浄時等の高圧水がグロメットのフランジ部分に強くかかって、第一のフランジ部分の密着部を通過した場合でも、第一のフランジ部分によって水勢（水圧）が弱められ、その水圧の弱められた水が第二のフランジ部分によって確実に止水される。このような二段階の止水によって、電気接続箱内の接続ユニットや電気部品等が水の影響から確実に保護される。また、第一のフランジ部分と第二のフランジ部分とを一体に形成したから、従来の接続箱本体の二重壁に対応した二重のフランジ部を有するグロメットに較べて、構造が簡素化・小型化され、電気接続箱のコンパクト化に寄与できる。
【００４３】
また、各フランジ部分が各ガイド壁によって支持されるから、水が強い勢いで第一のフランジ部分にかかって第一のフランジ部分が撓む等の変形を起こした場合でも、その影響を第二のフランジ部分が受けることがなく、第二のフランジ部分によって確実な防水シール性が発揮される。これにより、防水性が一層向上する。
【００４４】
また、各フランジ部分の上部が弾性的にカバー側に押接するから、たとえ水が第一のフランジ部の上部を通過した場合でも、第二のフランジ部の上部で確実に止水される。
【００４５】
請求項２記載の発明によれば、第一のフランジ部の上部はカバーの内面に直接密着して強い接触圧力で水勢に耐え、第二のフランジ部の上部は水勢の弱まった水に対してパッキンとの接触で確実な防水性を発揮する。このような二段階の止水により、フランジ部とカバーとの間からの水の浸入が確実に防止される。
【００４６】
請求項３記載の発明によれば、水が外側の周壁に当たって内側に浸入した場合でも、内側の高い周壁で阻止されて、内側の周壁内部への浸入が防止されるのは勿論のこと、第一のガイド壁よりも内側に浸入した水は、高い第二のガイド壁に当たってそれ以上の浸入が阻止されるから、各ガイド壁とグロメットのフランジ部との共働作用で防水性が一層向上する。
【００４７】
請求項４記載の発明によれば、第一のガイド壁の内側に浸入した水が底部の水抜き孔から外部に排出されて、第二のガイド壁内の第二のフランジ部分にかかる水圧が低減されるから、第二のフランジ部分によって確実な防水が行われる。
【００４８】
請求項５記載の発明によれば、第三のフランジ部分が第三のガイド壁に密着することで、万一、水が第二のフランジ部分を通過した場合に、第三のフランジ部分で確実に止水されると共に、第三のフランジ部分が第二のフランジ部分を補強して、第二のフランジ部分の防水シール性を高めるから、防水性が一層向上する。
【００４９】
請求項６記載の発明によれば、第三のフランジ部分の上部が第二のフランジ部分の上部と共働して、第一のフランジ部分を越えた水の浸入を確実に防止するから、防水性が一層向上する。
【００５０】
請求項７記載の発明によれば、補強部材と一体にフランジ部がケースに固定され、フランジ部の抜け出しやガイド部内での移動が防止されるから、防水性が一層向上する。
【図面の簡単な説明】
【図１】本発明に係る電気接続箱の防水構造の一実施形態を示す分解斜視図である。
【図２】同じくグロメットをケースに装着した状態を示す斜視図である。
【図３】グロメットを示す側面図である。
【図４】同じくグロメットを示す平面図である。
【図５】同じくグロメットを後方から見た状態の要部斜視図である。
【図６】ケースを内側から見た状態の要部斜視図である。
【図７】同じくケースを示す要部平面図である。
【図８】同じくケースを示す要部正面図である。
【図９】カバーを示す要部平面図（下面図）である。
【図１０】同じくカバーを示す図９のＡ−Ａ断面図である。
【図１１】従来の電気接続箱の防水構造の一形態を示す分解斜視図である。
【符号の説明】
１    電気接続箱
２    ケース
３    カバー
４    グロメット
５    フランジ部
６    第一のフランジ部分
７    第二のフランジ部分
８    第三のフランジ部分
９    切欠部
１２  ガイド部
２３  外側の周壁
２４  内側の周壁
２５  第一のガイド壁
２６  第二のガイド壁
２７  第三のガイド壁
３７  係止枠片（係止手段）
４３  パッキン
５６  水抜き孔
６１  係止爪（係止手段）
９１  補強部材
【図１】
0003914399.tif 000002
【図２】
0003914399.tif 000003
【図３】
0003914399.tif 000004
【図４】
0003914399.tif 000005
【図５】
0003914399.tif 000006
【図６】
0003914399.tif 000007
【図７】
0003914399.tif 000008
【図８】
0003914399.tif 000009
【図９】
0003914399.tif 000010
【図１０】
0003914399.tif 000011
【図１１】
0003914399.tif 000012